(57)【要約】  【課題】ネットワークカメラの制御や撮影された動画像の管理のための負担をユーザから分離した形で利用可能な監視システムを提供する  【解決手段】監視システムは、動画像撮影装置及び動画像記憶装置を含む監視システムであって、動画像撮影装置は、設置された場所の動画像を撮影する動画像撮影手段（監視カメラ１０）と、動画像撮影手段（監視カメラ１０）によって撮影された動画像を、ＩＰネットワーク２０Ａを通じて動画像記憶装置（サーバ３０）に送信する動画像送信手段とを有し、動画像記憶装置（サーバ３０）は、動画像撮影装置（監視カメラ１０）から送信された動画像を格納する動画像格納手段と、動画像格納手段により格納された動画像を、ＩＰネットワーク２０Ｂを通じてユーザ（ＰＣ４０、携帯４１）に配信する動画像配信手段とを有する。【選択図】図１
2010124440.tif 000002
【特許請求の範囲】
【請求項１】
動画像撮影装置及び動画像記憶装置を含む監視システムであって、
前記動画像撮影装置は、
設置された場所の動画像を撮影する動画像撮影手段と、
前記動画像撮影手段によって撮影された動画像を、ＩＰネットワークを通じて前記動画像記憶装置に送信する動画像送信手段と
を有し、
前記動画像記憶装置は、
前記動画像撮影装置から送信された動画像を格納する動画像格納手段と、
前記動画像格納手段により格納された動画像を、ＩＰネットワークを通じてユーザに配信する動画像配信手段と
を有する
監視システム。
【請求項２】
前記動画像送信手段は、使用するＩＰネットワークにおいて前記動画像撮影装置と前記動画像記憶装置間で仮想専用線を構築し、その仮想専用線を通じてユーザに動画像を配信する
請求項１に記載の監視システム。
【請求項３】
前記動画像送信手段は、使用するＩＰネットワークにおいて前記動画像撮影装置と前記動画像記憶装置間でテレビ電話網を構築し、そのテレビ電話網を通じてユーザに動画像を配信する
請求項１又は２に記載の監視システム。
【請求項４】
前記動画像記憶装置は、
前記動画像撮影装置を登録する動画像撮影装置登録手段と、
前記動画像撮影装置登録手段によって登録された前記動画像撮影装置と関連付けてユーザを登録するユーザ登録手段と
をさらに有し、
前記動画像配信手段は、前記ユーザ登録手段によって登録されたユーザのみに、そのユーザに関連付けられた前記動画像撮影装置によって撮影された動画像を配信する
請求項１から３のいずれかに記載の監視システム。
【請求項５】
前記動画像送信手段は、光通信網におけるＩＰネットワークを使用する
請求項１から４のいずれかに記載の監視システム。
【請求項６】
前記動画像配信手段は、Ｗｅｂブラウザによって表示可能な形式で動画像を配信する
請求項１から５のいずれかに記載の監視システム。
【請求項７】
動画像撮影装置及び動画像記憶装置を含む監視システムにおいて、
前記動画像撮影装置が、設置された場所の動画像を撮影するステップと、
前記動画像撮影装置が、撮影された動画像を、ＩＰネットワークを通じて前記動画像記憶装置に送信するステップと、
前記動画像記憶装置が、前記動画像撮影装置から送信された動画像をデータベースに格納するステップと、
前記動画像記憶装置が、前記データベースに格納された動画像を、ＩＰネットワークを通じてユーザに配信するステップと
を有する動画配信方法。
【発明の詳細な説明】
【技術分野】
【０００１】
本発明は、動画配信方法に関する。
【背景技術】
【０００２】
例えば、特許文献１には、ネットワークカメラを自動設定する管理サーバを備えた監視システムが開示されている。
【特許文献１】特開２００６−８０５９６号公報
【発明の開示】
【発明が解決しようとする課題】
【０００３】
上記の背景技術にもあるように、ネットワークカメラを使用した監視システムでは、ネットワークカメラの制御や撮影された動画像をいつでも閲覧可能な状態で、かつ安全に管理、維持するために費やすコストや人的な負担がユーザにとって大きいという問題がある。
本発明は、上記の問題点を鑑みてなされたものであり、ネットワークカメラの制御や撮影された動画像の管理のための負担をユーザから分離した形で利用可能な監視システムを提供することを目的とする。
【課題を解決するための手段】
【０００４】
本発明に係る監視システムは、動画像撮影装置及び動画像記憶装置を含む監視システムであって、前記動画像撮影装置は、設置された場所の動画像を撮影する動画像撮影手段と、前記動画像撮影手段によって撮影された動画像を、ＩＰネットワークを通じて前記動画像記憶装置に送信する動画像送信手段とを有し、前記動画像記憶装置は、前記動画像撮影装置から送信された動画像を格納する動画像格納手段と、前記動画像格納手段により格納された動画像を、ＩＰネットワークを通じてユーザに配信する動画像配信手段とを有する。
【０００５】
好適には、前記動画像送信手段は、使用するＩＰネットワークにおいて前記動画像撮影装置と前記動画像記憶装置間で仮想専用線（ＶＰＮ）を構築し、その仮想専用線を通じてユーザに動画像を配信する。
【０００６】
好適には、前記動画像送信手段は、使用するＩＰネットワークにおいて前記動画像撮影装置と前記動画像記憶装置間でテレビ電話網を構築し、そのテレビ電話網を通じてユーザに動画像を配信する。
【０００７】
好適には、前記動画像記憶装置は、前記動画像撮影装置を登録する動画像撮影装置登録手段と、前記動画像撮影装置登録手段によって登録された前記動画像撮影装置と関連付けてユーザを登録するユーザ登録手段とをさらに有し、前記動画像配信手段は、前記ユーザ登録手段によって登録されたユーザのみに、そのユーザに関連付けられた前記動画像撮影装置によって撮影された動画像を配信する。
【０００８】
好適には、前記動画像送信手段は、光通信網におけるＩＰネットワークを使用する。
好適には、前記動画像配信手段は、Ｗｅｂブラウザによって表示可能な形式で動画像を配信する。
【０００９】
また、本発明に係る動画配信方法は、動画像撮影装置及び動画像記憶装置を含む監視システムにおいて、前記動画像撮影装置が、設置された場所の動画像を撮影するステップと、前記動画像撮影装置が、撮影された動画像を、ＩＰネットワークを通じて前記動画像記憶装置に送信するステップと、前記動画像記憶装置が、前記動画像撮影装置から送信された動画像をデータベースに格納するステップと、前記動画像記憶装置が、前記データベースに格納された動画像を、ＩＰネットワークを通じてユーザに配信するステップとを有する。
【発明の効果】
【００１０】
本発明によれば、ネットワークカメラの制御や撮影された動画像の管理のための負担をユーザから分離した形で利用可能な監視システムを提供することができる。
【発明を実施するための最良の形態】
【００１１】
まず、本実施形態に係る映像監視システム１の構成について以下図面に従って説明する。
図１は、映像監視システム１の構成を例示する構成ブロック図である。
図１に例示するように、映像監視システム１は、監視カメラ１０Ａ、１０Ｂ、１０Ｃと、ＩＰネットワーク２０Ａ、２０Ｂと、サーバ３０と、ＰＣ（パーソナルコンピュータ）４０と、携帯電話４１と、ルータ５０Ａ、５０Ｂ、５０Ｃとを含む。なお、ＩＰネットワーク２０Ａ、２０Ｂは、同一のＩＰネットワーク上に存在し、相互接続されていてもよい。
監視カメラ１０Ａ、１０Ｂ、１０Ｃは、ルータ５０に接続される。
ルータ５０Ａは、ＣＴＵとＯＮＵを介して、ＩＰネットワーク２０Ａに接続される。ＩＰネットワーク２０Ａは、例えば、光通信網上に構築される。
【００１２】
また、サーバ３０は、ルータ５０Ｂ及びルータ５０Ｃに接続される。
ルータ５０Ｂは、ＣＴＵとＯＮＵを介してネットワーク２０Ａに接続され、ルータ５０Ｃは、ＣＴＵとＯＮＵを介してネットワーク２０Ｂに接続される。サーバ３０は、監視カメラ１０Ａ、１０Ｂ、１０Ｃや監視カメラ１０Ａ、１０Ｂ、１０Ｃで撮影された動画像を閲覧するユーザを登録することができ、登録された監視カメラ１０Ａ、１０Ｂ、１０Ｃから送信されてくる動画像を蓄積すると共に、登録されたユーザにその動画像を配信する。なお、ルータ５０Ａとルータ５０Ｂの間には、例えば、テレビ電話通信網が構築される。これにより、高品質な動画像や音声を送信することができる。さらに、ルータ５０Ａとルータ５０Ｂの間には、例えば、仮想専用線（ＶＰＮ）が構築される。これにより、第三者に監視カメラ１０Ａ、１０Ｂ、１０Ｃで撮影された動画像が漏洩することを防止できる。
【００１３】
また、ユーザは端末機器(例えば、ＰＣ４０、携帯電話４１など)で起動される動画像閲覧ソフト（例えば、Ｗｅｂブラウザなど）を利用して、サーバ３０から配信される動画像データ（監視カメラ１０Ａ、１０Ｂ、１０Ｃで撮影された動画像）を閲覧することができる。なお、ユーザの端末機器とルータ５０Ｃの間には、例えば、仮想専用線（ＶＰＮ）が構築されてもよく、これにより、第三者に監視カメラ１０Ａ、１０Ｂ、１０Ｃで撮影された動画像が漏洩することを防止できる。
【００１４】
上記のシステム構成において、ユーザはサーバ３０から送信される動画像を閲覧するための手段（例えば、Ｗｅｂブラウザを起動できる端末機器）を用意するだけでよく、監視カメラ１０Ａ、１０Ｂ、１０Ｃと、サーバ３０と、その他ネットワーク設備の運用管理を別の業者に委託することが可能となる。これにより、ユーザの映像監視システム１を構築するための設備投資や運用コストを軽減することができる。
【００１５】
次に、本実施形態に係る動画像配信プログラム２の機能構成について以下図面に従って説明する。
図２は、動画像配信プログラム２の機能構成を例示するブロック図である。
動画像配信プログラム２は、サーバ３０において動作するプログラムである。図２に例示するように、動画像配信プログラム２は、動画像受信部１００、動画像登録部１０１、入力データ受信部１０２、監視カメラ登録部１０３、ユーザ登録部１０４、データ格納部１０５、ユーザ認証部１０６、及び、動画像配信部１０７を有する。
【００１６】
動画像受信部１００は、監視カメラ１０から送信される動画像データを受信する。動画像登録部１０１は、動画像受信部１００により受信された動画像データをデータ格納部１０５に格納する。
【００１７】
入力データ受信部１０２は、オペレータによって入力された監視カメラ１０やユーザの情報を受信する。監視カメラ登録部１０３は、入力データ受信部１０２により受信された監視カメラの情報をデータ格納部１０５に格納する。ユーザ登録部１０４は、入力データ受信部１０２により受信されたユーザの情報をデータ格納部１０５に格納する。なお、監視カメラ登録部１０３は、監視カメラ１０の情報にユーザ登録部１０４によって登録されたユーザの情報を関連付けて監視カメラ１０の情報をデータ格納部１０５に格納する。
【００１８】
ユーザ認証部１０６は、ユーザからの接続を受け付け、ユーザから受信した認証情報（ユーザＩＤやパスワードなど）とデータ格納部１０５に格納されているユーザ情報とを照合して、ユーザ認証を行う。動画配信部１０７は、ユーザ認証部１０６によるユーザ認証の結果に応じて、そのユーザに関連付けられている監視カメラ１０で撮影された動画像をそのユーザに配信する。
【００１９】
次に、データ格納部１０５内に構成される配信データベース（監視カメラ情報）３及び配信データベース（ユーザ情報）４を説明する。
図３は、配信データベース（監視カメラ情報）３と配信データベース（ユーザ情報）４を例示する図である。
配信データベース（監視カメラ情報）３は、動画像登録部１０１により登録された動画像と、監視カメラ登録部１０３により登録された監視カメラの情報とを互いに対応付けるデータベースである。すなわち、配信データベース３は、図３に例示するように、監視カメラと、その監視カメラで撮影された動画像データと、その動画像データの閲覧が許可されるユーザとを互いに対応付けて保持する。
配信データベース（ユーザ情報）４は、ユーザ登録部１０４により登録されたユーザ情報を保持するデータベースである。すなわち、配信データベース４は、図３に例示するように、ユーザ（ユーザＩＤなど）と、パスワードとを互いに対応付けて保持する。
【００２０】
次に、動画配信プログラム２の動作を説明する。
図４は、動画配信プログラム２の配信動作を例示するフローチャートである。
図４に例示するように、ステップ１００（Ｓ１００）において、ユーザ認証部１０６は、ユーザからの接続を、検知し、受け付ける。
【００２１】
ステップ１１０（Ｓ１１０）において、ユーザ認証部１０６は、ユーザから送信されるユーザ情報（ユーザＩＤやパスワードなど）を受信する。
【００２２】
ステップ１２０（Ｓ１２０）において、ユーザ認証部１０６は、受信したユーザ情報と、データ格納部１０５に格納されるユーザ情報とを照合して、登録されているユーザからの接続であれば、ステップ１３０へ進み、登録されていないユーザからの接続であれば、そのユーザからの接続を切断して終了する。
【００２３】
ステップ１３０（Ｓ１３０）において、動画配信部１０７は、このユーザに関連付けられている監視カメラ１０で撮影された動画像のリストを、データ格納部１０５から読み出し、読み出された動画像のリストをユーザの端末機器に配信する。ユーザの端末機器は、ウェブブラウザで、動画配信部１０７から配信された動画像のリストを表示する。
【００２４】
ステップ１４０（Ｓ１４０）において、動画像配信部１０７は、ユーザが動画像リストの中から所望の動画像を選択すると、選択された動画像のデータをユーザの端末機器に配信する。ユーザの端末機器は、ウェブブラウザで、動画配信部１０７から配信された動画像のデータに基づいて動画像を表示する。
【図面の簡単な説明】
【００２５】
【図１】映像監視システム１のハードウェア構成を例示する図である。
【図２】動画像配信プログラム２の機能構成を例示するブロック図である。
【図３】配信データベース（監視カメラ情報）３と配信データベース（ユーザ情報）４を例示する図である。
【図４】動画像配信プログラム２の動作を例示するフローチャートである。
【符号の説明】
【００２６】
１・・・映像監視システム
２・・・動画像配信プログラム
３・・・配信データベース（監視カメラ情報）
４・・・配信データベース（ユーザ情報）
１０・・・監視カメラ
２０・・・ＩＰネットワーク
３０・・・サーバ
４０・・・ＰＣ
４１・・・携帯電話
５０・・・ルータ
１００・・・動画像受信部
１０１・・・動画像登録部
１０２・・・入力データ受信部
１０３・・・監視カメラ登録部
１０４・・・ユーザ登録部
１０５・・・データ格納部
１０６・・・ユーザ認証部
１０７・・・動画像配信部
【図１】
2010124440.tif 000003
【図２】
2010124440.tif 000004
【図３】
2010124440.tif 000005
【図４】
2010124440.tif 000006